(57)【要約】【課題】小便器において、トイレ室内に併設可能であり、高齢者の寝室内に設置することも可能とする小型の小便器を提供する。【解決手段】前面を上部固定パネルと下部固定パネルと扉一体型摺動パネルとにより形成し、扉一体型摺動パネルは、小便器を固着した扉部を備え、該扉部が前方略４５度の位置へと回動することで、小便器の利用、若しくは収納状態とすることができる。扉一体型摺動パネルは、扉部と扉部に固着された小便器と、扉一体型摺動パネルに設けられた支持部に連結された、給水管と排水管とが一体となって上下摺動可能とすることで、昇降式小型小便器を提供するに到った。【選択図】図２
2017206807.tif 000002
【特許請求の範囲】
【請求項１】
前面が、上部固定パネルと下部固定パネルと扉一体型摺動パネルとによる構造であり、該扉一体型摺動パネルに備えられた扉部に固着された小便器であって、該小便器に利用される給水管と排水管とが前記扉一体型摺動パネルの支持部に連結されることで、前記扉一体型摺動パネルと扉部と小便器と給水管と排水管とが一体として外周に備えられた摺動枠によって上下摺動可能とする構造であって、且つ扉部が前方略４５度の位置へ回動することを特徴とする小型小便器。
【発明の詳細な説明】
【技術分野】
【０００１】
本発明はトイレ室内、又は居住室内に設置される格納式小型小便器に関する。
【背景技術】
【０００２】
一般にトイレの便器は男女共用となる便座型が主流でありスペース、コスト面から当然といえる。パブリック向けとしては男子は大用と小用とに別けられることもその利用形態から当然といえる。この小用専用便器（小便器）の構造は水を溜める必要がなく、また小便器の周囲となる壁面も垂直に近い程飛沫が発生しにくい。大きさにおいても非常にコンパクトなものでも利用可能ではあるが身長差等に対応したり、コスト面も考慮され幾つかの形態によって設置されている。
【０００３】
しかし、一般家庭やマンション、ホテル等における共用可能となる便座型は、男子小用時としての利用の際に問題を抱える構造である。特に飛沫による床の汚れが問題となっている。これは便座型の便器内に水が溜めてあるため、利用時に飛沫が発生するものであり、また身長の高い人程、つまり落差が大きい程飛沫は多く発生することとなる。この問題に対する考案は数多くなされているものの完全に解消するには至っていない。また、小用時の利用の際に使用される洗浄水も小便器に比べ多い形態である。
【０００４】
これらに対し、特許文献１には、小用時に専用の小便器を格納式としてトイレ室内にも併設可能となる小便器が開示されている。これは格納式によることから設置場所もトイレ室内に限らず幅広く対応することができる。また、小便器の設置高さにおいては特許文献２による対応手段が開示されている。
【先行技術文献】
【特許文献】
【０００５】
【特許文献１】特開２０１３−０５３４６４号公報
【特許文献２】特開２００６−２７１７４６号公報
【発明の概要】
【発明が解決しようとする課題】
【０００６】
しかし特許文献１においては特殊な便器を使用しなければならず、便器の大きさも従来と大差なく小型と呼べるものではない。また利用時における扉の開閉も容易とはいえない。また特許文献２においては屋内の利用に対しての課題は多く、むしろ屋外での仮設時の利用に限られる形態であり、特に昇降時の給水及び排水に対する手段は何ら開示されていない。
【０００７】
そこで、小型の小便器であって、トイレ室内に便座型と併設できる形態であって、また高齢者や要介護者の寝室等にも設置できる構造の小便器を提供することを課題とする。
【課題を解決するための手段】
【０００８】
本願発明による小型小便器は室内に備えるための格納式であり、小便器も非常に小型であり、前面パネルの扉部に固着される。利用時は前方へ回動することでハウジング（格納部）より前方へ迫り出す形状である。また高さにおいても身長差に対応すべく昇降式とする必要がある。そこで給水管及び排水管は摺動による伸縮構造とし、小便器が回動することで配管との取付部の位置が移動するため、小便器取付部の配管はホースによる構造か、若しくは取付け部を回動及び移動可能な構造とする必要がある。
【発明の効果】
【０００９】
この形態により、トイレ室内に併設する場合は飛沫の発生も殆んどなく、節水にも効果的である。居住室内に設置する場合にも高齢者には便利であり、特に足の不自由な場合は有効である。むろん御虎子（おまる）や尿瓶も利用されているが、動ける状態であればあまり利用したくないものである。何れにしろ健常者においても、深夜階段を使ったり寒い廊下を行き来することは避けたいものである。
【図面の簡単な説明】
【００１０】
【図１】本発明の一実施形態の格納式小型小便器の格納時を示す正面図
【図２】格納時における内部の正面見取図
【図３】格納時における断面見取図
【図４】利用時における断面見取図
【図５】格納時における平面見取図
【図６】利用時における平面見取図
【発明を実施するための形態】
【００１１】
形態において詳しく説明すると、まずハウジングの構造として、前面は外周に備えられた摺動枠（３）を利用し、扉部（１ｂ）と一体となる扉一体型摺動パネル（１ａ）が上下摺動可能となる構造である。摺動状態としては、例えばガススプリング（４ｂ）を利用し、給水摺動管（５ｂ）の最上部と、排水摺動管（６ｂ）の最上部と、ガススプリング（４ｂ）の最上部とが支持部（４ｃ）により連結され、扉一体型摺動パネル（１ａ）に固着される。当然支持部（４ｃ）は給排水ホースに干渉しない位置である。これらにより把持部（１ｃ）を持ち、上下することで全体を摺動構造とすることができる。また、高齢者の利用も多いことから、摺動時に要する力を軽減するため、モータとシリンダによる電動式とすること等も考えられる。
【００１２】
ハウジングとしては、前面の上下に上部固定パネル（２ａ）と下部固定パネル（２ｂ）とを、摺動枠（３）の外側、若しくは内側に備え、天井、側面、背面は簡素な素材にて壁面を構成し、防臭、衛生面からも気密構造とする。床板においては荷重も少なく特に強度を必要とするものではないが、防水等の考慮はすべきである。しかし、総合的に見てユニットにて構成し、設置する方法が最適でありユニットバスと同様、工場内にて殆んどを形成する工法となると考えられる。防臭においては気密性のみならず排気手段を備えることも有効であり、例えば排水管を利用（併用）する方法も興味深いものである。この場合、排気ファン（９ａ）と排気管（９ｂ）とを固定金具（９ｃ）により容易に備えることができる。排水量と排気の圧力は小さなものであり、お互い干渉することもなく、トラップへの影響も殆んどないといえる。
【００１３】
次に扉部（１ｂ）の回動について説明すると、扉部（１ｂ）に小便器（４ａ）が固着され、扉部（１ｂ）を前方へ略４５度回動することで小便器（４ａ）がハウジングより迫り出し利用可能となる。ここで問題となることは、回動することによって小便器（４ａ）が前方へ移動するため配管との固着ができない状態である。そこで、例えば給水ホース（５ａ）と排水ホース（６ａ）とにより小便器（４ａ）と各配管とを繋ぐこととなる。このホース利用により小便器（４ａ）の移動に対応することができ、排水ホース（６ａ）の弛み部分をトラップとして利用することも可能である。給水管は水圧も高いことから摺動シール（８）からの水漏れが頻発し、これに対しカール状の高圧ホースを利用して対応することもよく用いられる。
【００１４】
ハウジングの高さとしては、図１を参照し、例えば摺動可能高低差が３０センチメートルとすると、総高さが１３０センチメートル程度となる。当然天井までの間に使用しないスペースができる。そこで、床から天井までを一体としたハウジングユニットとすることで、施工も容易であり視感的にも良好であるといえる。
【００１５】
次に水洗における構造として説明すると、洗浄水は小便器（４ａ）の周囲より注水される方法が好ましく、通常の方法と大きく変わるものではない。注水のタイミングとしては、利用前、利用中、利用後、扉部を閉めた直後等適宜決定されることとなる。しかし、この室内に設置する形態は特に防臭が重要であることから、排気構造ではあるものの、撥水剤、防水剤、芳香剤、洗剤等を利用することも好ましい。また、手洗いにおいては適所に、センサによる吐水口を設け小便器（４ａ）へと直接流れ込む構造が最適と考えられる。また、ウェットティッシュや除菌ペーパーにて代用することも可能といえる。
【００１６】
次に設置スペースについて説明すると、既設住宅に設置する場合は、押入れを利用する方法が最適と考えられる。床下の配管以外は、枠にユニットごと嵌合することで非常に容易な施工方法といえる。住宅の１階においては、外壁より突出した形状にて設置でき、配管も容易である。また、隣室とが壁１枚の場合、自室内の壁面に取り付けることも想定される。利用時における遮蔽（目隠し）構造としては、カーテンを利用したりまた、ハウジングがコンパクトなことから奥行８０セントメートルでも扉を備えたトイレ室として設置することができる。新築住宅に設置する場合は何ら問題を抱えるものではない。
【００１７】
最後に、配管をすることが難しい場合として、給水用と排水用とに其其タンクを備える形態が考えられるが、衛生面や防臭、また、手入れの手間を考えた場合不適切と言わざるを得ない。この形態は野外での利用、例えばキャンプ場やイベント会場等、給水及び排水が不可能な場所での設置に特化したものを提供することが好ましい。
【符号の説明】
【００１８】
１ａ  扉一体型摺動パネル
１ｂ  扉部
１ｃ  把持部  
２ａ  上部固定パネル
２ｂ  下部固定パネル
３    摺動枠
４ａ  小便器
４ｂ  ガススプリング
４ｃ  支持部
５ａ  給水ホース
５ｂ  給水摺動管
５ｃ  給水固定管
６ａ  排水ホース
６ｂ  排水摺動管
６ｃ  排水固定管
７    継手部
８    摺動用シール
９ａ  排気ファン
９ｂ  排気管
９ｃ  固定金具
【図１】
2017206807.tif 000003
【図２】
2017206807.tif 000004
【図３】
2017206807.tif 000005
【図４】
2017206807.tif 000006
【図５】
2017206807.tif 000007
【図６】
2017206807.tif 000008